(57)【要約】【課題】  より手早くカートリッジとクロスヘッド本体との締結ができる押出機用クロスヘッドを提供する。【解決手段】  この押出機用クロスヘッド１は、環状締結治具７の内周面７ｂ上にキー突起７ｃが凸設されると共に、カートリッジ５の治具取付部５１ｂの外周面上に、環状締結治具７が治具取付部５１ｂに嵌め込まれた際に環状締結治具７のキー突起７ｃが導入されるガイド溝部５１ｉと、該ガイド溝部５１ｉから治具取付部５１ｂの略周方向に延設されてなり、環状締結治具７が治具取付部５１ｂに嵌め込まれた状態で治具取付部５１ｂを中心に回転された際に、環状締結治具７がクロスヘッド本体３側に締め寄せられる様に、環状締結治具７のキー突起７ｃを誘導するロック溝部５１ｊとを有するキー溝５１ｈが凹設される。【選択図】  図１
2005262527.tif 000002
【特許請求の範囲】
【請求項１】
治具取付部が突設されたカートリッジと、前記カートリッジが嵌合される嵌合凹部が設けられて前記嵌合凹部の底部に前記カートリッジの前記治具取付部が貫通される貫通孔が設けられたクロスヘッド本体と、前記クロスヘッド本体の前記嵌合凹部に前記カートリッジが嵌合されて前記カートリッジの前記治具取付部が前記クロスヘッド本体の前記貫通孔から突出された状態で、該治具取付部に環装されて前記カートリッジを前記クロスヘッド本体に締結させる環状締結治具とを備えた押出機用クロスヘッドであって、
前記環状締結治具の内周面上にキー突起が凸設されると共に、前記カートリッジの前記治具取付部の外周面上に、前記環状締結治具が前記治具取付部に嵌め込まれた際に前記環状締結治具の前記キー突起が導入されるガイド溝部と、前記ガイド溝部から前記治具取付部の略周方向に延設されてなり、前記環状締結治具が前記治具取付部に嵌め込まれた状態で前記治具取付部を中心に回転された際に、前記環状締結治具が前記クロスヘッド本体側に締め寄せられる様に、前記環状締結治具の前記キー突起を誘導するロック溝部とからなるキー溝が凹設されることを特徴とする押出機用クロスヘッド。
【請求項２】
前記環状締結治具には、その外周方向に突出する様にハンドル部が設けられることを特徴とする請求項１に記載の押出機用クロスヘッド。
【発明の詳細な説明】
【技術分野】
【０００１】
本発明は、自動車等に搭載される被覆電線を製造する押出機等の各種押出機に用いられる押出機用クロスヘッドに関する。
【背景技術】
【０００２】
この種の従来の押出機用クロスヘッドでは、ニップル及びダイスが組み込まれたカートリッジとクロスヘッド本体との締結は、締付ナットを用いて行われる。即ち、図５の様に、カートリッジ５００の治具取付部５００ａの外周面上にネジ山を螺刻しておき、クロスヘッド本体５０１の例えばテーパ円柱状の嵌合凹部５０１ａにカートリッジ５００を嵌合して、該カートリッジ５００の治具取付部５００ａをクロスヘッド本体５０１の嵌合凹部５０１ａの底部に設けた貫通孔５０１ｂから突出させた状態で、該治具取付部５００ａにその内周面にネジ山が螺刻された締付ナット５０３を螺合する。これにより、カートリッジ５００とクロスヘッド本体５０１とが締結される。尚、締付ナット５０３の治具取付部５００ａへの螺合は、スパナ等の治工具を用いて手作業で行われる。
【発明の開示】
【発明が解決しようとする課題】
【０００３】
締付ナット５０３を用いた場合、締付ナット５０３をカートリッジ５００の治具取付部５００ａの奥側まで締めるのに、締付ナット５０３を相当な回数回す必要がある為、締結作業に思いの外時間が掛かるという欠点がある。尚、測定結果では締付ナット５０３を最後まで締めるのに約１８秒掛かった。
【０００４】
そこで、この発明の課題は、より手早くカートリッジとクロスヘッド本体との締結ができる押出機用クロスヘッドを提供することにある。
【課題を解決するための手段】
【０００５】
上記課題を解決する為には、請求項１に記載の発明は、治具取付部が突設されたカートリッジと、前記カートリッジが嵌合される嵌合凹部が設けられて前記嵌合凹部の底部に前記カートリッジの前記治具取付部が貫通される貫通孔が設けられたクロスヘッド本体と、前記クロスヘッド本体の前記嵌合凹部に前記カートリッジが嵌合されて前記カートリッジの前記治具取付部が前記クロスヘッド本体の前記貫通孔から突出された状態で、該治具取付部に環装されて前記カートリッジを前記クロスヘッド本体に締結させる環状締結治具とを備えた押出機用クロスヘッドであって、前記環状締結治具の内周面上にキー突起が凸設されると共に、前記カートリッジの前記治具取付部の外周面上に、前記環状締結治具が前記治具取付部に嵌め込まれた際に前記環状締結治具の前記キー突起が導入されるガイド溝部と、前記ガイド溝部から前記治具取付部の略周方向に延設されてなり、前記環状締結治具が前記治具取付部に嵌め込まれた状態で前記治具取付部を中心に回転された際に、前記環状締結治具が前記クロスヘッド本体側に締め寄せられる様に、前記環状締結治具の前記キー突起を誘導するロック溝部とからなるキー溝が凹設されるものである。
【０００６】
請求項２に記載の発明は、前記環状締結治具には、その外周方向に突出する様にハンドル部が設けられるものである。
【発明の効果】
【０００７】
請求項１に記載の発明によれば、従来の様にネジ山が螺刻される代わりに、環状締結治具の内周面上にキー突起が凸設されると共に、カートリッジの治具取付部の外周面上に、前記環状締結治具が前記治具取付部に嵌め込まれた際に前記環状締結治具の前記キー突起が導入されるガイド溝部と、前記ガイド溝部から前記治具取付部の略周方向に延設されてなり、前記環状締結治具が前記治具取付部に嵌め込まれた状態で前記治具取付部を中心に回転された際に、前記環状締結治具が前記クロスヘッド本体側に締め寄る様に、前記環状締結治具の前記キー突起を誘導するロック溝部とからなるキー溝が凹設される為、従来の締付ナットの様に何度も回転させること無く環状締結治具を締めることができ、これにより、より手早くカートリッジとクロスヘッド本体とを締結できる。
【０００８】
請求項２に記載の発明によれば、環状締結治具には、その外周方向に突出する様にハンドル部が設けられる為、そのハンドル部を介して手作業で環状締結治具を締めることができ、即ちスパナ等の治工具が不要となり、より一層手早く締結作業を行える。
【発明を実施するための最良の形態】
【０００９】
この実施の形態の押出機用クロスヘッド１は、被覆電線を製造する押出機に用いられるものであり、図１の様に、クロスヘッド本体３と、クロスヘッド本体３に着脱自在に組み付けられるカートリッジ５と、カートリッジ５とクロスヘッド本体３とを締結する環状締結治具７とを備える。
【００１０】
クロスヘッド本体３は、図１の様に側面視断面が例えば矩形のブロック体に形成される。クロスヘッド本体３の一側面には、カートリッジ５が嵌合される嵌合凹部（ここではテーパ円柱形の嵌合凹部）３ａが設けられ、該嵌合凹部３ａの底部には、カートリッジ５の後述の治具取付部５１ｂが貫通される貫通孔３ｂが設けられる。クロスヘッド本体３の内部には、前記嵌合凹部３ａの内側面に連通する樹脂流路３ｃが設けられる。
【００１１】
カートリッジ５は、治具取付部５１ｂが突設されたカートリッジ本体５１内にニップル５３及びダイス５５が組み込まれて構成される。
【００１２】
ここでは、ニップル５３は、例えば、その一端部５３ａがテーパ円柱形に形成されその他端部５３ｂが円錐台形に形成された略紡錘体に形成される。ニップル５３の中心軸上には、被覆電線用の芯線が搬送される搬送孔５３ｃが設けられる。ダイス５５は、図１の様に側面視断面が例えば矩形のブロック体に形成される。ダイス５５の一側面には、ニップル５３の円錐台形の他端部５３ｂが離間配置される円錐台状凹部５５ａが形成され、該円錐台状凹部５５ａの底部には、製造された被覆電線が送出される開口孔５５ｂが設けられる。
【００１３】
カートリッジ本体５１は、ここではクロスヘッド本体３の嵌合凹部３ａにテーパ嵌合する様に略テーパ筒状に形成される。より詳細には、カートリッジ本体５１は、その基端側からその先端側に徐々に縮径した外径を有するテーパ筒部５１ａを有し、該テーパ筒部５１ａの先端に該先端の外径と同寸の外径を有する円筒部（治具取付部）５１ｂが設けられると共に、該テーパ筒部５１ａの基端に該基端の外径より大寸の外径を有する円筒部（ダイス取付部）５１ｃが設けられて形成される。カートリッジ本体５１の筒孔５１ｄは、ニップル５３がテーパ嵌合状に収納配設される部分であり、その基端開口からその先端開口に向かって徐々に縮径したテーパ状に形成される。筒孔５１ｄのダイス取付部５１ｃ側の開口には、ダイス５５が嵌合される嵌合凹部５１ｅが形成される。テーパ筒部５１ａの外周面には、カートリッジ５がクロスヘッド本体３の嵌合凹部３ａに嵌合された状態でクロスヘッド本体３の樹脂流路３ｃと連通する凹状溝５１ｆが周設され、該凹状溝５１ｆ内には、周方向に沿って筒孔５１ｄに連通する複数の連通孔５１ｇが設けられる。
【００１４】
又、治具取付部５１ｂの外周面には、図１〜図３の様に、環状締結治具７の後述のキー突起７ｃが誘導案内されるキー溝５１ｈが凹設される。ここでは、キー溝５１ｈは、治具取付部５１ｂの筒軸に対称的に一対設けられる。このキー溝５１ｈは、環状締結治具７が治具取付部５１ｂに嵌め込まれた際に環状締結治具７のキー突起７ｃが導入されるガイド溝部５１ｉと、該ガイド溝部５１ｉから治具取付部５１ｂの略周方向に延設されてなり、環状締結治具７が治具取付部５１ｂに嵌め込まれた状態で治具取付部５１ｂを中心に回転された際に、環状締結治具７がクロスヘッド本体３側に締め寄せられる様に、環状締結治具７のキー突起７ｃを誘導するロック溝部５１ｊとからなる。
【００１５】
ここでは、ガイド溝部５１ｉは、例えば、治具取付部５１ｂの先端面から治具取付部５１ｂの筒軸方向の略中央位置までの区間を筒軸方向に沿って真直に形成されてなる。ガイド溝部５１ｉの治具取付部先端側の一端部５１ｋは、治具取付部５１ｂの先端面上で開放されている。ロック溝部５１ｊは、ガイド溝部５１ｉの治具取付部基端側の他端部５１ｍから治具取付部５１ｂの略周方向に（より詳細には例えば治具取付部５１ｂの基端側に徐々に接近する様に略周方向に）延設されてなる。ロック溝部５１ｊの長さは、治具取付部５１ｂの周方向長の例えば４分の１程度（中心角にして例えば６０°〜８０°）の長さに形成される。
【００１６】
この様に形成されたカートリッジ本体５１に於いては、ニップル５３は、その一端部５３ａがカートリッジ本体５１の筒孔５１ｄにテーパ嵌合する様に該筒孔５１ｄ内に収納されて組み付けられる。ダイス５５は、その円錐台状凹部５５ａがカートリッジ本体５１の内側を向く様にしてカートリッジ本体５１の嵌合凹部５１ｅ内に組み付けられる。この組付状態では、ダイス５５の開口孔５５ｂの真後にニップル５３の搬送孔５３ｃの一端開口が離間配置される。又、ニップル５３の円柱形の中央部５３ｄとカートリッジ５の筒孔５１ｄとの間にカートリッジ５の連通孔５１ｇと連通する円筒壁状間隙５ａが形成されると共に、ダイス５５の円錐台状凹部５５ａとニップル５３の円錐台形の他端部５３ｂとの間に前記円筒壁状間隙５ａと連通する円錐壁状間隙５ｂが形成されて、カートリッジ本体５１の凹状溝５１ｆから連通孔５１ｇ、前記の間隙５ａ，５ｂを経てダイス５５の開口孔５５ｂに至る樹脂流路が構成される。
【００１７】
尚、この押出機用クロスヘッド１では、クロスヘッド本体３の樹脂流路３ｃからカートリッジ５の凹状溝５１ｆに供給された被覆電線用の溶融樹脂（図示省略）は、カートリッジ５の前記樹脂流路（５１ｆ，５１ｇ，５ａ，５ｂ及び５５ｂ）を通ってダイス５５の開口孔５５ｂから送出される。そして、これに並行して、被覆電線用の芯線（図示省略）が一側（紙面上左）からニップル５３の搬送孔５３ｃ及びダイス５５の開口孔５５ｂを通じて他側（紙面上右）に送出されて、ダイス５５の開口孔５５ｂで、送出されるその芯線の外周に、送出されてくる前記溶融樹脂が被覆されて、これにより前記芯線が被覆電線に仕立てられて開口孔５５ｂが送出される。この様にして被覆電線が製造される。
【００１８】
環状締結治具７は、図１及び図４の様に、短尺で筒壁が肉厚の筒体に形成される。環状締結治具７の外周面７ａは、例えば６角ナットの様に６角形に形成される。環状締結治具７の内周面（筒孔）７ｂは、カートリッジ５の治具取付部５１ｂに嵌合されるべく、治具取付部５１ｂの外径と略同寸の円形に形成される。環状締結治具７の内周面７ｂには、その筒軸方向の略中央位置に例えば円柱状のキー突起７ｃが凸設される。ここでは、キー突起７ｃは、環状締結治具７の筒軸に対称的に一対設けられる。環状締結治具７の例えば外周面７ａには、その外周方向に突出する様に棒状のハンドル部７ｄが設けられる（尚、ハンドル部７ｄは別に無くても構わない）。
【００１９】
この環状締結治具７は、クロスヘッド本体３の嵌合凹部３ａにカートリッジ５のカートリッジ本体５１がテーパ嵌合されてカートリッジ５の治具取付部５１ｂがクロスヘッド本体３の貫通孔３ｂから突出された状態で、該治具取付部５１ｂに環装される。以下にその環装手順を説明する。先ず、環状締結治具７のキー突起７ｃが治具取付部５１ｂのキー溝５１ｈのガイド溝部５１ｉ内に導入される様にして、環状締結治具７を治具取付部５１ｂの外周に嵌め込む。そして、この嵌込状態で、手作業でハンドル部７ｄを介して（尚、ハンドル部７ｄが無い場合はスパナ等の治工具を用いて）環状締結治具７を治具取付部５１ｂを中心に４分の１回転程度回転させる。この回転に伴って環状締結治具７のキー突起７ｃが治具取付部５１ｂのキー溝５１ｈのロック溝部５１ｊに沿って誘導されて、これにより環状締結治具７がクロスヘッド本体３側に締め寄せられる。この締寄状態では、環状締結治具７とクロスヘッド本体３との対向面が突っ張り合って、環状締結治具７が緩み防止状に固定されると共に、カートリッジ５とクロスヘッド本体３とが締結される。
【００２０】
以上の様に構成された押出機用クロスヘッド１によれば、従来の様にネジ山が螺刻される代わりに、環状締結治具７の内周面７ｂ上にキー突起７ｃが凸設されると共に、カートリッジ５の治具取付部５１ｂの外周面上に、環状締結治具７が治具取付部５１ｂに嵌め込まれた際に環状締結治具７のキー突起７ｃが導入されるガイド溝部５１ｉと、ガイド溝部５１ｉから治具取付部５１ｂの略周方向に延設されてなり、環状締結治具７が治具取付部５１ｂに嵌め込まれた状態で治具取付部５１ｂを中心に回転された際に、環状締結治具７がクロスヘッド本体３側に締め寄せられる様に、環状締結治具７のキー突起７ｃを誘導するロック溝部５１ｊとを有するキー溝５１ｈが凹設される為、従来の締付ナットの様に何度も回転させること無く環状締結治具７を締めることができ、これにより、より手早くカートリッジ５とクロスヘッド本体３とを締結できる。尚、測定結果では、環状締結治具７を最後まで締めるのに約３秒で締結できた。
【００２１】
又、環状締結治具７には、その外周方向に突出する様にハンドル部７ｄが設けられる為、そのハンドル部７ｄを介して手作業で環状締結治具７を締めることができ、即ちスパナ等の治工具が不要となり、より一層手早く締結作業を行える。
【図面の簡単な説明】
【００２２】
【図１】本発明の実施の形態に係る押出機用クロスヘッドの側面視断面図である。
【図２】図１の治具取付部５１ｂの矢示方向Ｐ１からの平面図である。
【図３】図１の治具取付部５１ｂの矢示方向Ｐ２からの正面図である。
【図４】図１の環状締結治具７の矢示方向Ｐ２からの正面図である。
【図５】従来の押出機用クロスヘッドの側面視概略図である。
【符号の説明】
【００２３】
１  押出機用クロスヘッド
３  クロスヘッド本体
３ａ  嵌合凹部
３ｂ  貫通孔
５  カートリッジ
７  環状締結治具
７ｃ  キー突起
７ｄ  ハンドル部
５１ｂ  治具取付部
５１ｈ  キー溝
５１ｉ  ガイド溝部
５１ｊ  ロック溝部
５３  ニップル
５５  ダイス
【図１】
2005262527.tif 000003
【図２】
2005262527.tif 000004
【図３】
2005262527.tif 000005
【図４】
2005262527.tif 000006
【図５】
2005262527.tif 000007